(57)【特許請求の範囲】
【請求項１】
屋外に設置された屋外コンセントを備える家屋に設置される給湯システムであって、
屋外に設置されており、水を加熱するヒートポンプを備えるヒートポンプユニットと、
屋外に設置されており、前記ヒートポンプによって加熱された水を貯えるタンクを備えるタンクユニットと、
屋外に設置されており、水を加熱するガス熱源機を備えるガス熱源機ユニットと、
制御手段を備えており、
前記ヒートポンプユニットと前記屋外コンセントが、第１配線系統によって電気的に接続されており、
前記ガス熱源機ユニットと前記タンクユニットと前記屋外コンセントが、第２配線系統によって電気的に接続されており、
前記制御手段が、前記タンクユニットの消費電力あるいは前記ガス熱源機ユニットの消費電力が大きくなるほど小さくなる抑制電力を決定し、前記ヒートポンプユニットの消費電力が前記抑制電力以下となるように、前記ヒートポンプの運転を制御する、給湯システム。
【発明の詳細な説明】
【技術分野】
【０００１】
本明細書に開示する技術は、給湯システムに関する。
【背景技術】
【０００２】
特許文献１に開示されている給湯システムは、水を加熱するヒートポンプと、ヒートポンプによって加熱された水を貯えるタンクを備えている。この給湯システムは家屋に設置されており、ヒートポンプとタンクは共に屋外に配置されている。屋内にはヒートポンプとタンクに電力を供給するための第１分電盤と第２分電盤が配置されている。ヒートポンプと第１分電盤が第１配線系統によって電気的に接続されており、タンクと第２分電盤が第２配線系統によって電気的に接続されている。
【先行技術文献】
【特許文献】
【０００３】
【特許文献１】特開２０１１−１６３５９９号公報
【発明の概要】
【発明が解決しようとする課題】
【０００４】
特許文献１の給湯システムでは、屋外のヒートポンプとタンクを屋内の第１分電盤と第２分電盤に電気的に接続するときに、配線系統を敷設するために屋内と屋外を繋ぐ配線工事が必要になる。第１配線系統と第２配線系統の両者の配線工事が必要なので、工事に手間を要することになる。
【０００５】
配線工事の手間を少なくするために、分電盤を１つにすると共に屋外コンセントを設置して、屋内の分電盤と屋外コンセントを別途の配線系統によって接続することが考えられる。そして、屋外コンセントとヒートポンプを第１配線系統によって接続し、屋外コンセントとタンクを第２配線系統によって接続することが考えられる。これによって、屋内の分電盤と屋外コンセントを接続する工事のみが必要になり、第１配線系統と第２配線系統を敷設するための配線工事が不要になる。屋外コンセントから第１配線系統と第２配線系統を介してヒートポンプとタンクに電力が供給される。
【０００６】
しかしながらこの構成では、屋外コンセントからヒートポンプとタンクの両方に電力が供給されるので、屋外コンセントに流れる電流が大きくなる。そのため、屋外コンセントに過大な電流が流れることを防ぐために分電盤が電流を遮断してしまうことがある。そうすると、ヒートポンプとタンクへの電力供給が必要であるにもかかわらず、電力供給が遮断されてしまうことがある。
【０００７】
そこで本明細書は、電力供給が遮断されてしまうことを抑制できる技術を提供する。
【課題を解決するための手段】
【０００８】
本明細書に開示する給湯システムは、屋外に設置された屋外コンセントを備える家屋に設置される。給湯システムは、屋外に設置されており水を加熱するヒートポンプを備えるヒートポンプユニットと、屋外に設置されておりヒートポンプによって加熱された水を貯えるタンクを備えるタンクユニットと、屋外に設置されており、水を加熱するガス熱源機を備えるガス熱源機ユニットと、制御手段を備えている。ヒートポンプユニットと屋外コンセントが、第１配線系統によって電気的に接続されており、ガス熱源機ユニットとタンクユニットと屋外コンセントが、第２配線系統によって電気的に接続されている。制御手段が、タンクユニットの消費電力あるいはガス熱源機ユニットの消費電力が大きくなるほど小さくなる抑制電力を決定し、ヒートポンプユニットの消費電力が抑制電力以下となるように、ヒートポンプの運転を制御する。
【０００９】
このような構成によれば、屋外コンセントから第１配線系統と第２配線系統を介してヒートポンプユニットとタンクユニットとガス熱源機ユニットに電力が供給される。このとき、制御手段が、ヒートポンプユニットの消費電力がタンクユニットの消費電力とガス熱源機ユニットの消費電力に応じた抑制電力以下となるようにヒートポンプの運転を制御するので、ヒートポンプユニットとタンクユニットとガス熱源機ユニットを合わせた給湯システム全体の消費電力を抑制することができる。その結果、屋外コンセントからヒートポンプユニットとタンクユニットとガス熱源機ユニットに供給される電力が抑制される。そのため、屋外コンセントが分電盤に接続されている場合に、分電盤から屋外コンセントに過大な電流が流れることを抑制することができ、分電盤が屋外コンセントに流れる電流を遮断してしまうことを抑制できる。これによって、ヒートポンプユニットとタンクユニットとガス熱源機ユニットへの電力供給が遮断されてしまうことを抑制できる。
【図面の簡単な説明】
【００１４】
【図１】実施例に係る給湯システムの構成を模式的に示す図である。
【図２】実施例に係る分電盤の構成を模式的に示す図である。
【図３】実施例に係る給湯システムの構成を模式的に示す図である。
【発明を実施するための形態】
【００１５】
図１に示すように、実施例に係る給湯システム１は、家屋１００に設置される。この給湯システム１は、ヒートポンプユニット４と、タンクユニット３と、ガス熱源機ユニット５を備えている。
【００１６】
家屋１００は、屋内１０１と屋外１０２を隔てる壁１０３を備えている。また、家屋１００は、分電盤２と屋外コンセント６を備えている。屋内１０１に分電盤２が設置されており、屋外１０２に屋外コンセント６が設置されている。分電盤２が壁１０３の内側に設置されており、屋外コンセント６が壁１０３の外側に設置されている。分電盤２と屋外コンセント６は、コンセント配線１５によって電気的に接続されている。コンセント配線１５は、壁１０３を貫通して分電盤２と屋外コンセント６に接続されている。例えば、壁１０３に貫通孔を形成して、その貫通孔にコンセント配線１５を挿入する配線工事を行うことによってコンセント配線１５が分電盤２と屋外コンセント６に接続される。
【００１７】
分電盤２は、商用電源１０に電気的に接続されている。商用電源１０を介して電力系統から家屋１００に電力が供給される。図２に示すように、分電盤２は、１つの主幹ブレーカー２１と、複数の分岐ブレーカー２２を備えている。商用電源１０と主幹ブレーカー２１が電源配線２３によって電気的に接続されている。主幹ブレーカー２１と複数の分岐ブレーカー２２が分岐配線２４によって電気的に接続されている。複数の分岐ブレーカー２２のうちの１つ（コンセント用分岐ブレーカー２２ａ）と屋外コンセント６が、コンセント配線１５によって電気的に接続されている。その他の分岐ブレーカー２２と図示しない端末機器とが、端末配線２５によって電気的に接続されている。
【００１８】
主幹ブレーカー２１は、電源配線２３から分岐配線２４へ流れる電流が所定のしきい値を超えたときにその電流を遮断する機能を有している。コンセント用分岐ブレーカー２２ａは、分岐配線２４からコンセント配線１５へ流れる電流が所定のしきい値を超えたときにその電流を遮断する機能を有している。その他の各分岐ブレーカー２２は、分岐配線２４から各端末配線２５へ流れる電流が所定のしきい値を超えたときにその電流を遮断する機能を有している。
【００１９】
屋外コンセント６は、少なくとも２つのプラグを抜き差し可能なように構成されている。屋外コンセント６からプラグを介して電気機器（例えば、ヒートポンプユニット４、タンクユニット３、及び、ガス熱源機ユニット５）に電力が供給される。図１に示すように、ヒートポンプユニット４と屋外コンセント６が、第１配線系統１１によって電気的に接続されている。タンクユニット３とガス熱源機ユニット５と屋外コンセント６が、第２配線系統１２によって電気的に接続されている。第１配線系統１１のプラグと第２配線系統１２のプラグが屋外コンセント６に差し込まれている。
【００２０】
各配線系統が複数の電力線を備えていることがある。図１に示す例では、第２配線系統１２が、２つの電力線１２ａ、１２ｂを備えている。電力線１２ａによって屋外コンセント６とガス熱源機ユニット５が接続されており、電力線１２ｂによってガス熱源機ユニット５とタンクユニット３が接続されている。なお、第１配線系統１１は、１つの電力線１１ａで構成されている。電力線１１ａによって屋外コンセント６とヒートポンプユニット４が接続されている。
【００２１】
図３に示すように、ヒートポンプユニット４は、ヒートポンプ４０を備えている。ヒートポンプ４０は、外気から吸熱して水を加熱する熱源である。ヒートポンプ４０は、圧縮機４１と、凝縮器４２と、膨張弁４３と、蒸発器４４を備えている。圧縮機４１は、冷媒を加圧して高温高圧にする。凝縮器４２は、水との熱交換により冷媒を冷却する。膨張弁４３は、冷媒を減圧して低温低圧にする。蒸発器４４は、外気との熱交換により冷媒を加熱する。ヒートポンプ４０は、冷媒（例えばフロン系冷媒）を、圧縮機４１、凝縮器４２、膨張弁４３、蒸発器４４の順に循環させることで、外気から吸熱して水を加熱する。ヒートポンプユニット４はさらに、凝縮器４２に水を循環させる循環ポンプ４５と、凝縮器４２に流れ込む水の温度を検出する戻りサーミスタ４６と、凝縮器４２から流れ出る水の温度を検出する往きサーミスタ４７と、外気温度を検出する外気温度サーミスタ４８と、ヒートポンプユニット４の各構成要素の動作を制御するヒートポンプコントローラー２０３を備えている。
【００２２】
タンクユニット３は、タンク３０と、混合弁３２と、バイパス制御弁３４を備えている。タンク３０は、外側が断熱材で覆われており、内部に水を貯える密閉型の容器である。タンク３０は、ヒートポンプ４０によって加熱された水を貯える。ヒートポンプユニット４の循環ポンプ４５が駆動すると、タンク３０の底部から水が吸い出されて凝縮器４２へ送られる。凝縮器４２で加熱されて高温となった水は、タンク３０の頂部からタンク３０内に戻される。ヒートポンプ４０によって加熱された水がタンク３０に流れ込むと、タンク３０の内部には、低温の水の層の上に高温の水の層が積み重なった温度成層が形成される。タンク３０には、上部の水の温度を検出する上部サーミスタ３６と、中間部の水の温度を検出する中間部サーミスタ３７と、下部の水の温度を検出する下部サーミスタ３８が取り付けられている。
【００２３】
タンクユニット３には、給水経路７１を介して水道水が供給される。給水経路７１には、給水圧力を減圧する減圧弁７３と、給水温度を検出する入水サーミスタ７５が取り付けられている。給水経路７１は、タンク３０の底部に連通するタンク給水経路７７と、混合弁３２に連通するタンクバイパス経路７９に分岐している。タンク給水経路７７とタンクバイパス経路７９には、それぞれ逆止弁５１、５２が取り付けられている。また、タンクバイパス経路７９には、混合弁３２に流入する水道水の流量を検出する水側水量センサ５４が取り付けられている。タンク３０の頂部と混合弁３２は、タンク出湯経路５６を介して連通している。タンク出湯経路５６には、逆止弁５８と、混合弁３２に流入するタンク３０からの水の流量を検出する湯側水量センサ６０が取り付けられている。
【００２４】
混合弁３２は、タンクバイパス経路７９から流れ込む水道水と、タンク出湯経路５６から流れ込むタンク３０からの水を混合して、第１給湯経路６２に送り出す。混合弁３２は、ステッピングモータによって弁を駆動し、タンクバイパス経路７９側の開度（水側の開度）と、タンク出湯経路５６側の開度（湯側の開度）を調整する。第１給湯経路６２には、混合弁３２から送り出される水の温度を検出する混合サーミスタ６４が取り付けられている。
【００２５】
タンクユニット３からは、第２給湯経路６６を介して、台所やシャワー、カラン等の給湯箇所への給湯が行われる。第２給湯経路６６には、給湯箇所へ供給される水の温度を検出する給湯出口サーミスタ６８と、逆止弁７０が取り付けられている。第１給湯経路６２と第２給湯経路６６の間は、給湯バイパス経路７２によって連通している。給湯バイパス経路７２には、バイパス制御弁３４が取り付けられている。
【００２６】
タンクユニット３の各経路には、電気式の凍結防止ヒータ５７ａ〜５７ｇが設けられている。給水経路７１には、凍結防止ヒータ５７ａが設けられており、タンク給水経路７７には、凍結防止ヒータ５７ｂが設けられており、タンク出湯経路５６には、凍結防止ヒータ５７ｃが設けられており、タンクバイパス経路７９には、凍結防止ヒータ５７ｄが設けられており、第１給湯経路６２には、凍結防止ヒータ５７ｅが設けられており、給湯バイパス経路７２には、凍結防止ヒータ５７ｆが設けられており、第２給湯経路６６には、凍結防止ヒータ５７ｇが設けられている。また、タンクユニット３は、外気温度を検出する外気温度サーミスタ５９を備えている。
【００２７】
タンクユニット３はさらに、タンクコントローラー２０１と、タンクコントローラー２０１と通信可能なリモコン２０２を備えている。タンクコントローラー２０１は、タンクユニット３の各構成要素の動作を制御する。リモコン２０２は、スイッチやボタン等を介して、ユーザーからの各種の操作入力を受け入れる。また、リモコン２０２は、表示や音声によってユーザーに給湯システム１の設定や動作に関する各種の情報を通知する。  
【００２８】
ガス熱源機ユニット５は、ガス熱源機５０を備えている。ガス熱源機５０は、バーナ８０と、熱交換器８２を備えている。また、ガス熱源機ユニット５は、バイパスサーボ８４と、水量サーボ８６と、湯はり弁８８を備えている。バーナ８０は、ガスの燃焼によって熱交換器８２を流れる水を加熱する熱源である。熱交換器８２には、バーナ往路９０を介して、タンクユニット３の第１給湯経路６２からの水が流れ込む。熱交換器８２を通過した水は、バーナ復路９２を介して、タンクユニット３の第２給湯経路６６へ流れ出る。バーナ往路９０には、熱交換器８２へ流れ込む水の流量を調整する水量サーボ８６が取り付けられている。バーナ往路９０とバーナ復路９２の間は、バーナバイパス経路９４を介して連通している。バーナ往路９０とバーナバイパス経路９４の接続部に、バイパスサーボ８４が取り付けられている。バイパスサーボ８４は、バーナ往路９０からバーナバイパス経路９４へ流れる水の流量を調整する。バーナ復路９２には、熱交換器８２から流れ出る水の温度を検出するバーナ給湯サーミスタ９６が取り付けられている。バーナ復路９２からは、湯はり経路９８が分岐している。湯はり経路９８には、湯はり弁８８が取り付けられている。ガス熱源機ユニット５からは、湯はり経路９８を介して、給湯箇所である浴槽への湯はりが行われる。
【００２９】
ガス熱源機ユニット５の各経路には、電気式の凍結防止ヒータ９３ａ〜９３ｆが設けられている。水量サーボ８６より上流側のバーナ往路９０には、凍結防止ヒータ９３ａが設けられており、バイパスサーボ８４より下流側のバーナ往路９０には、凍結防止ヒータ９３ｂが設けられており、バーナバイパス経路９４には、凍結防止ヒータ９３ｃが設けられており、バーナ復路９２には、凍結防止ヒータ９３ｄ、９３ｅが設けられており、湯はり経路９８には、凍結防止ヒータ９３ｆが設けられている。また、ガス熱源機ユニット５は、外気温度を検出する外気温度サーミスタ９５を備えている。ガス熱源機ユニット５はさらに、ガス熱源機ユニット５の各構成要素の動作を制御するガス熱源機コントローラー２０４を備えている。
【００３０】
ヒートポンプコントローラー２０３とタンクコントローラー２０１は、互いに通信可能である。タンクコントローラー２０１とガス熱源機コントローラー２０４は、互いに通信可能である。従って、ヒートポンプコントローラー２０３と、タンクコントローラー２０１と、ガス熱源機コントローラー２０４が協調して制御を行うことで、給湯システム１は沸上げ運転、給湯運転、凍結防止運転等の各種の動作を行うことができる。以下では、ヒートポンプコントローラー２０３と、タンクコントローラー２０１と、ガス熱源機コントローラー２０４を総称して、単にコントローラーと呼ぶことがある。
【００３１】
上記の構成を備える給湯システム１は、沸上げ運転と給湯運転と凍結防止運転を行う。沸上げ運転では、給湯システム１は、ヒートポンプユニット４を駆動して、タンク３０内の水を沸かし上げる。沸上げ運転が開始されると、コントローラーは、圧縮機４１を駆動して、圧縮機４１、凝縮器４２、膨張弁４３、蒸発器４４の順に冷媒を循環させるとともに、循環ポンプ４５を駆動して、タンク３０と凝縮器４２の間で水を循環させる。これによって、タンク３０の底部から吸い出された水は、凝縮器４２において沸上げ温度まで加熱されて、タンク３０の頂部に戻される。タンク３０内の水が全て沸上げ温度まで加熱された水で置き換えられると、コントローラーは沸上げ運転を終了する。
【００３２】
給湯運転では、給湯システム１は、給湯設定温度の水を給湯箇所へ供給する。本実施例の給湯システム１では、例えば水側水量センサ５４で検出される水量と、湯側水量センサ６０で検出される水量を合算した水量（給湯水量）が、所定値以上となった場合に、給湯運転を開始する。
【００３３】
給湯運転が開始されると、コントローラーは、タンク３０の上部サーミスタ３６で検出される温度が給湯設定温度以上であるか否かを判断する。上部サーミスタ３６で検出される温度が給湯設定温度以上の場合には、コントローラーは、バーナ８０の燃焼運転を禁止するとともに、混合サーミスタ６４で検出される温度が給湯設定温度となるように、混合弁３２の開度を調整する。この場合、タンク３０の上部から供給される高温の水と、給水経路から供給される低温の水道水が、混合弁３２において給湯設定温度となるように混合されて、給湯箇所へ供給される。
【００３４】
タンク３０の上部サーミスタ３６で検出される温度が給湯設定温度を下回る場合には、コントローラーは、バーナ８０の燃焼運転を許可するとともに、混合サーミスタ６４で検出される温度が、給湯設定温度よりもわずかに低い温度となるように、混合弁３２の開度を調整する。この場合、タンク３０の上部から供給される高温の水と、給水経路から供給される低温の水道水が、混合弁３２において混合された後、バーナ８０によって給湯設定温度まで加熱されて、給湯箇所へ供給される。
【００３５】
本実施例の給湯システム１では、例えば水側水量センサ５４で検出される水量と、湯側水量センサ６０で検出される水量を合算した水量（給湯水量）が、所定値を下回った場合に、給湯が終了したものと判断する。給湯が終了した場合、コントローラーは、バーナ８０の燃焼運転を禁止して、給湯運転処理を終了する。  
【００３６】
冬季などの外気温度が低い状態では、配管の内部で水が凍結してしまうことがある。配管の内部で水が凍結すると、沸上げ運転と給湯運転を実行できなくなってしまうことがある。そこで、給湯システム１は、水の凍結を防止する凍結防止運転を実行する。凍結防止運転では、ヒートポンプユニット４の外気温度サーミスタ４８によって検出された外気温度が所定温度より低い場合に、ヒートポンプコントローラー２０３が、循環ポンプ４５を所定時間にわたって駆動して、タンク３０と凝縮器４２の間で水を循環させる。これによって、タンク３０内の水がタンク３０と凝縮器４２の間で循環し、循環経路の凍結を防止する。その後、外気温度サーミスタ４８によって検出される外気温度が所定温度より高くなった場合は、ヒートポンプコントローラー２０３が、ヒートポンプユニット４の凍結防止運転を終了する。
【００３７】
また、タンクユニット３の外気温度サーミスタ５９によって検出された外気温度が所定温度より低い場合は、タンクコントローラー２０１が、凍結防止ヒータ５７ａ〜５９ｇを所定時間にわたってオンにして、タンクユニット３の各経路を加熱する。これによって、タンクユニット３の各経路内の水を加熱して凍結を防止する。その後、外気温度サーミスタ５９によって検出される外気温度が所定温度より高くなった場合は、タンクコントローラー２０１が、タンクユニット３の凍結防止運転を終了する。
【００３８】
また、ガス熱源機ユニット５の外気温度サーミスタ９５によって検出された外気温度が所定温度より低い場合は、ガス熱源機コントローラー２０４が、凍結防止ヒータ９３ａ〜９３ｆを所定時間にわたってオンにして、ガス熱源機ユニット５の各経路を加熱する。これによって、ガス熱源機ユニット５の各経路内の水を加熱して凍結を防止する。その後、外気温度サーミスタ９５によって検出される外気温度が所定温度より高くなった場合は、ガス熱源機コントローラー２０４が、ガス熱源機ユニット５の凍結防止運転を終了する。
【００３９】
上記の給湯システム１では、ヒートポンプユニット４とタンクユニット３とガス熱源機ユニット５のそれぞれが電力を消費する。ガス熱源機コントローラー２０４は、ガス熱源機ユニット５の消費電力を算出する。ガス熱源機コントローラー２０４は、算出したガス熱源機ユニット５の消費電力をタンクコントローラー２０１に送信する。また、タンクコントローラー２０１は、タンクユニット３の消費電力を算出する。タンクコントローラー２０１は、算出したタンクユニット３の消費電力をヒートポンプコントローラー２０３に送信する。また、タンクコントローラー２０１は、ガス熱源機コントローラー２０４から受信したガス熱源機ユニット５の消費電力をヒートポンプコントローラー２０３に送信する。
【００４０】
ヒートポンプコントローラー２０３は、タンクユニット３の消費電力とガス熱源機ユニット５の消費電力に基づいて、抑制電力を算出する。ヒートポンプコントローラー２０３は、ヒートポンプユニット４の消費電力がタンクユニット３の消費電力とガス熱源機ユニット５の消費電力に応じた抑制電力以下となるように、ヒートポンプ４０の運転を制御する。例えば、ヒートポンプコントローラー２０３は、タンクユニット３の消費電力が大きい場合は、ヒートポンプユニット４の消費電力が小さくなるようにヒートポンプ４０の運転を制御する。あるいは、ヒートポンプコントローラー２０３は、ガス熱源機ユニット５の消費電力が大きい場合は、ヒートポンプユニット４の消費電力が小さくなるようにヒートポンプ４０の運転を制御する。ヒートポンプコントローラー２０３は、ヒートポンプユニット４の消費電力を抑制電力以下に制御する。これによって、給湯システム１全体の消費電力を抑制する。
【００４１】
以上、本実施例の給湯システム１の構成及び運転内容について説明した。以上の説明から明らかなように、本実施例の給湯システム１は、図１に示すように、屋外１０２に設置された屋外コンセント６を備える家屋１００に設置される。給湯システム１は、水を加熱するヒートポンプ４０を備えるヒートポンプユニット４と、ヒートポンプ４０によって加熱された水を貯えるタンク３０を備えるタンクユニット３と、コントローラー（制御手段の一例）を備えている。ヒートポンプユニット４とタンクユニット３は、屋外１０２に設置されている。ヒートポンプユニット４と屋外コンセント６が、第１配線系統１１によって電気的に接続されており、タンクユニット３と屋外コンセント６が、第２配線系統１２によって電気的に接続されている。コントローラーは、ヒートポンプユニット４の消費電力がタンクユニット３の消費電力に応じた抑制電力以下となるように、ヒートポンプ４０の運転を制御する。
【００４２】
このような構成によれば、屋外コンセント６から第１配線系統１１と第２配線系統１２を介してヒートポンプユニット４とタンクユニット３に電力が供給される。このとき、コントローラーが、ヒートポンプユニット４の消費電力がタンクユニット３の消費電力に応じた抑制電力以下となるようにヒートポンプ４０の運転を制御するので、ヒートポンプユニット４の消費電力とタンクユニット３の消費電力を合わせた給湯システム１全体での消費電力を抑制することができる。その結果、屋外コンセント６からヒートポンプユニット４とタンクユニット３に供給される電力が抑制される。これによって、分電盤２から屋外コンセント６を介して給湯システム１に流れる電流を抑制することができる。
【００４３】
分電盤２は、過大な電流を遮断する機能を有している。しかしながら、上記の構成によれば、分電盤２から屋外コンセント６を介して給湯システム１に流れる電流を抑制できるので、分電盤２が電流を遮断してしまうことを抑制できる。その結果、屋外コンセント６からヒートポンプユニット４とタンクユニット３への電力供給が遮断されてしまうことを抑制できる。
【００４４】
また、本実施例の給湯システム１は、水を加熱するガス熱源機５０を備えるガス熱源機ユニット５を備えている。ガス熱源機ユニット５とタンクユニット３と屋外コンセント６が、第２配線系統１２によって電気的に接続されている。コントローラーは、ヒートポンプユニット４の消費電力がタンクユニット３の消費電力とガス熱源機ユニット５の消費電力に応じた抑制電力以下となるように、ヒートポンプ４０の運転を制御する。
【００４５】
このような構成によれば、屋外コンセント６からヒートポンプユニット４とタンクユニット３とガス熱源機ユニット５に供給される電力が抑制される。これによって、上記と同様に、ヒートポンプユニット４とタンクユニット３とガス熱源機ユニット５への電力供給が遮断されてしまうことを抑制できる。
【００４６】
また、上記の構成によれば、第１配線系統１１と第２配線系統１２を屋外コンセント６に接続するだけでヒートポンプユニット４とタンクユニット３に電力を供給できる状態になるので、第１配線系統１１と第２配線系統１２を敷設するための大がかりな配線工事が不要になる。例えば、第１配線系統１１と第２配線系統１２のために家屋１００の壁１０３に貫通孔を形成して屋内１０１と屋外１０２を繋ぐ工事が不要になる。よって、配線工事の手間を省くことができる。
【００４７】
以上、一実施例について説明したが、具体的な態様は上記実施例に限定されるものではない。他の実施例に係る給湯システム１では、リモコン２０２（設定手段の一例）によって屋外コンセント６からヒートポンプユニット４とタンクユニット３とガス熱源機ユニット５に供給される最大電力を設定することができる。すなわち、ヒートポンプユニット４とタンクユニット３とガス熱源機ユニット５の全体で使用できる最大電力を設定することができる。この電力は、多段階で設定することができる。ユーザーがリモコン２０２を操作することによって、屋外コンセント６から供給される電力を設定する。コントローラーは、屋外コンセント６から供給される電力がリモコン２０２で設定された設定電力以下となるように、ヒートポンプユニット４の抑制電力を設定する。つまり、コントローラーは、ヒートポンプユニット４とタンクユニット３とガス熱源機ユニット５の全体での消費電力が、リモコン２０２で設定された設定電力以下となるように、ヒートポンプ４０の運転を制御する。
【００４８】
このような構成によれば、ユーザーが屋外コンセント６から供給される電力を設定できるので、ユーザーの意思に基づいて給湯システム１の消費電力を抑制することができる。
【００４９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５０】
１        ：給湯システム
２        ：分電盤
３        ：タンクユニット
４        ：ヒートポンプユニット
５        ：ガス熱源機ユニット
６        ：屋外コンセント
１０      ：商用電源
１１      ：第１配線系統
１１ａ    ：電力線
１２      ：第２配線系統
１２ａ    ：電力線
１２ｂ    ：電力線
１５      ：コンセント配線
２１      ：主幹ブレーカー
２２      ：分岐ブレーカー
２２ａ    ：コンセント用分岐ブレーカー
２３      ：電源配線
２４      ：分岐配線
２５      ：端末配線
３０      ：タンク
３２      ：混合弁
３４      ：バイパス制御弁
３６      ：上部サーミスタ
３７      ：中間部サーミスタ
３８      ：下部サーミスタ
４０      ：ヒートポンプ
４１      ：圧縮機
４２      ：凝縮器
４３      ：膨張弁
４４      ：蒸発器
４５      ：循環ポンプ
４６      ：戻りサーミスタ
４７      ：往きサーミスタ
４８      ：外気温度サーミスタ
５０      ：ガス熱源機
５１      ：逆止弁
５２      ：逆止弁
５４      ：水側水量センサ
５６      ：タンク出湯経路
５７ａ〜ｇ  ：凍結防止ヒータ
５８      ：逆止弁
５９      ：外気温度サーミスタ
６０      ：湯側水量センサ
６２      ：第１給湯経路
６４      ：混合サーミスタ
６６      ：第２給湯経路
６８      ：給湯出口サーミスタ
７０      ：逆止弁
７１      ：給水経路
７２      ：給湯バイパス経路
７３      ：減圧弁
７５      ：入水サーミスタ
７７      ：タンク給水経路
７９      ：タンクバイパス経路
８０      ：バーナ
８２      ：熱交換器
８４      ：バイパスサーボ
８６      ：水量サーボ
８８      ：弁
９０      ：バーナ往路
９２      ：バーナ復路
９３ａ〜ｇ  ：凍結防止ヒータ
９４      ：バーナバイパス経路
９５      ：外気温度サーミスタ
９６      ：バーナ給湯サーミスタ
９８      ：湯はり経路
１００    ：家屋
１０１    ：屋内
１０２    ：屋外
１０３    ：壁
２０１    ：タンクコントローラー
２０２    ：リモコン
２０３    ：ヒートポンプコントローラー
２０４    ：ガス熱源機コントローラー
【図１】
0006647020.tif 000002
【図２】
0006647020.tif 000003
【図３】
0006647020.tif 000004